(57)【要約】【課題】各工種を連続して実施でき、且つ、作業の流れを良好に維持できて、作業効率の向上を図れるようにする。【解決手段】ＲＣ造のプレキャスト材２を組み立てて複数階層の躯体架構１を形成する建物形成方法であって、プレキャスト柱２Ａと、プレキャスト梁２Ｂと、スラブ底板部材２Ｃをそれぞれ設置する第１施工工程と、壁鉄筋５とスラブ鉄筋３とを設置する第２施工工程と、壁型枠６を設置する第３施工工程と、壁型枠６内と上階のスラブ底板部材２Ｃ上とにコンクリート４を打設する第４施工工程との施工工程を実施するに当たり、上下に隣接する４つの施工ブロック層ｒ1〜ｒ4の内の第１施工ブロック層ｒ1で第１施工工程を、第２施工ブロック層ｒ2で第２施工工程を、第３施工ブロック層ｒ3で第３施工工程を、第４施工ブロック層ｒ4で第４施工工程を実施する。【選択図】図１
2011069069.tif 000002
【特許請求の範囲】
【請求項１】
ＲＣ造のプレキャスト材を組み立てて複数階層の躯体架構を形成する建物形成方法であって、
該当階のプレキャスト柱と、上階のプレキャスト梁とを設置すると共に、上階に、スラブの下面部分を構成するスラブ底板部材をそれぞれ設置する第１施工工程と、
該当階の壁鉄筋とスラブ鉄筋とを設置する第２施工工程と、
該当階の壁型枠を設置する第３施工工程と、
該当階の壁型枠内と、上階の前記スラブ底板部材上とにコンクリートを打設する第４施工工程との一連の施工工程を実施するに当たり、
上下に隣接する４つの施工ブロック層を一つの施工単位として設定し、
４つの内の最上位の第１施工ブロック層においては、前記第１施工工程を実施し、
４つの内の上から２番目の第２施工ブロック層においては、前記第２施工工程を実施し、
４つの内の上から３番目の第３施工ブロック層においては、前記第３施工工程を実施し、
４つの内の最下位の第４施工ブロック層においては、前記第４施工工程を実施する建物形成方法。
【請求項２】
ＲＣ造のプレキャスト材を組み立てて複数階層の躯体架構を形成する建物形成方法であって、
該当階のプレキャスト柱と、上階のプレキャスト梁とを設置すると共に、上階に、スラブの下面部分を構成するスラブ底板部材をそれぞれ設置する第１施工工程と、
該当階のスラブ鉄筋を設置する第２施工工程と、
該当階の前記スラブ底板部材上にコンクリートを打設する第３施工工程との一連の施工工程を実施するに当たり、
上下に隣接する３つの施工ブロック層を一つの施工単位として設定し、
３つの内の最上位の第１施工ブロック層においては、前記第１施工工程を実施し、
３つの内の上から２番目の第２施工ブロック層においては、前記第２施工工程を実施し、
３つの内の最下位の第３施工ブロック層においては、前記第３施工工程を実施する建物形成方法。
【発明の詳細な説明】
【技術分野】
【０００１】
本発明は、ＲＣ造のプレキャスト材を組み立てて複数階層の躯体架構を形成する建物形成方法に関する。
【背景技術】
【０００２】
従来、この種の建物形成方法としては、該当階のプレキャスト柱と、上階のプレキャスト梁とを設置すると共に、上階に、スラブの下面部分を構成するスラブ底板部材をそれぞれ設置する第１施工工程を実施し、該当階の壁鉄筋とスラブ鉄筋とを設置する第２施工工程を実施し、該当階の壁型枠を設置する第３施工工程を実施し、該当階の壁型枠内と、上階の前記スラブ底板部材上とにコンクリートを打設する第４施工工程とを実施し、該当階の前記第１〜第４施工工程が完了した後、上階の施工を開始するもので、１階ずつ仕上げていく方法を採用していた（例えば、特許文献１参照）。
【先行技術文献】
【特許文献】
【０００３】
【特許文献１】特公昭６４−２７４２号公報（図２〜５）
【発明の概要】
【発明が解決しようとする課題】
【０００４】
上述した従来の建物形成方法によれば、前記第１〜４の各施工工程における工種が、該当階において混在し、現場内での作業が錯綜し易い。また、プレキャスト部材の組み立て作業や、コンクリート打設作業は、他の作業を並行して実施できないから、クリティカルパスとなる。更には、建物は１階ずつ仕上げていくから、各工種とも、該当階での施工が完了したら、その階層が仕上がるまで次の階層の施工に着手することができず、作業が途切れることとなる。従って、各作業を円滑に進め難く、建物全体とした作業効率の向上が望まれる。
【０００５】
従って、本発明の目的は、上記問題点を解消し、各工種を連続して実施でき、且つ、作業の流れを良好に維持できて、作業効率の向上を図れる建物形成方法を提供するところにある。
【課題を解決するための手段】
【０００６】
本発明の第１の特徴構成は、ＲＣ造のプレキャスト材を組み立てて複数階層の躯体架構を形成する建物形成方法であって、該当階のプレキャスト柱と、上階のプレキャスト梁とを設置すると共に、上階に、スラブの下面部分を構成するスラブ底板部材をそれぞれ設置する第１施工工程と、該当階の壁鉄筋とスラブ鉄筋とを設置する第２施工工程と、該当階の壁型枠を設置する第３施工工程と、該当階の壁型枠内と、上階の前記スラブ底板部材上とにコンクリートを打設する第４施工工程との一連の施工工程を実施するに当たり、上下に隣接する４つの施工ブロック層を一つの施工単位として設定し、４つの内の最上位の第１施工ブロック層においては、前記第１施工工程を実施し、４つの内の上から２番目の第２施工ブロック層においては、前記第２施工工程を実施し、４つの内の上から３番目の第３施工ブロック層においては、前記第３施工工程を実施し、４つの内の最下位の第４施工ブロック層においては、前記第４施工工程を実施するところにある。
【０００７】
本発明の第１の特徴構成によれば、上下に隣接する４つの施工ブロック層に別れて、前記第１〜４施工工程を並行して実施できるから、各施工ブロック層においては、単独の工種によって施工を進めることができ、各作業が錯綜するのを防止できる。
また、各施工工程を、並行して一度に実施できるから、従来のように、同一の施工ブロック層で、第１〜４の各施工工程を順次実施していたのに比べると工期の短縮化を図ることができる。
また、４つの施工ブロック層からなる一つの施工単位を、各施工ブロック層での施工が完了した時点で１ブロック層ずつ上に移行させることで、各施工ブロック層で実施されている施工工程は、実質的には連続して実施できる。
即ち、第１施工工程を例に挙げて説明すると、当初は、Ｎ階を第１施工ブロック層として、第１施工工程を実施し、他の施工ブロック層を含めた施工単位の各施工が完了すると、施工単位を一階層上方にシフトさせるから、（Ｎ＋１）階を第１施工ブロック層として同様に第１施工工程を実施する。このように、第１施工工程は、休むことなく、順次、上方の階層にシフトしながらその階層で実施することができる。従って、従来のように、各施工工程が小間切れになるのを防止でき、作業計画を設定しやすくなる。
その結果、各作業の流れを良好に維持できて、建物全体とした作業効率の向上を図れる。
【０００８】
本発明の第２の特徴構成は、ＲＣ造のプレキャスト材を組み立てて複数階層の躯体架構を形成する建物形成方法であって、該当階のプレキャスト柱と、上階のプレキャスト梁とを設置すると共に、上階に、スラブの下面部分を構成するスラブ底板部材をそれぞれ設置する第１施工工程と、該当階のスラブ鉄筋を設置する第２施工工程と、該当階の前記スラブ底板部材上にコンクリートを打設する第３施工工程との一連の施工工程を実施するに当たり、上下に隣接する３つの施工ブロック層を一つの施工単位として設定し、３つの内の最上位の第１施工ブロック層においては、前記第１施工工程を実施し、３つの内の上から２番目の第２施工ブロック層においては、前記第２施工工程を実施し、３つの内の最下位の第３施工ブロック層においては、前記第３施工工程を実施するところにある。
【０００９】
本発明の第２の特徴構成によれば、上下に隣接する３つの施工ブロック層に別れて、前記第１〜３施工工程を並行して実施できるから、各施工ブロック層においては、単独の工種によって施工を進めることができ、各作業が錯綜するのを防止できる。
また、各施工工程を、並行して一度に実施できるから、従来のように、同一の施工ブロック層で、第１〜３の各施工工程を順次実施していたのに比べると工期の短縮化を図ることができる。
また、３つの施工ブロック層からなる一つの施工単位を、各施工ブロック層での施工が完了した時点で１ブロック層ずつ上に移行させることで、各施工ブロック層で実施されている施工工程は、実質的には連続して実施できる。
即ち、第１施工工程を例に挙げて説明すると、当初は、Ｎ階を第１施工ブロック層として、第１施工工程を実施し、他の施工ブロック層を含めた施工単位の各施工が完了すると、施工単位を一階層上方にシフトさせるから、（Ｎ＋１）階を第１施工ブロック層として同様に第１施工工程を実施する。このように、第１施工工程は、休むことなく、順次、上方の階層にシフトしながらその階層で実施することができる。従って、従来のように、各施工工程が小間切れになるのを防止でき、作業計画を設定しやすくなる。
その結果、各作業の流れを良好に維持できて、建物全体とした作業効率の向上を図れる。
【図面の簡単な説明】
【００１０】
【図１】施工状況を示す正面視断面図
【図２】工程を示す図
【図３】第２実施形態の工程を示す図
【発明を実施するための形態】
【００１１】
以下に本発明の実施の形態を図面に基づいて説明する。
【００１２】
〔第１実施形態〕
図１は、本発明の建物形成方法によって形成している建物Ｂを示すもので、下層から上層へ順次施工を進め、途中の階層を建設している状況を表している。
便宜上、図に示す建設途中の階層の内、頂部に位置し、新しく躯体架構１を組みあげている該当階層をＮ（以後、Ｎ階層という）とする。
【００１３】
前記建物Ｂは、ＲＣ造のプレキャスト材２を組み立てて複数階層の躯体架構１を形成してある。
前記プレキャスト材２としては、例えば、プレキャスト柱２Ａ、プレキャスト梁２Ｂ、合成床（スラブに相当）Ｓの下面部分を構成するスラブ底板部材２Ｃ等が例に挙げられる。
各プレキャスト材２どうしの連結は、所定の締結具や、グラウト材等を使用して実施される。
また、合成床Ｓに関しては、前記スラブ底板部材２Ｃを設置し、その上にスラブ鉄筋３を配置した状態でコンクリート４を打設して一体の床を形成するものである。
当該実施形態の建物Ｂにおいては、合成床Ｓのコンクリート４打設時に、同様にコンクリート４を打設する構造体として壁Ｗがある。
壁Ｗは、壁鉄筋５を組むと共に、その外側に壁型枠６を設置してコンクリート４を打設することで形成される。当該実施形態においては、上階の合成床Ｓへのコンクリート４打設時に、該当階の壁Ｗのコンクリート４の打設が実施される。
【００１４】
前記建物Ｂの建設に当たっては、前記Ｎ階層とその下方の３階層との合計４階層を、それぞれ個別の施工ブロック層ｒとし、それら上下に隣接する４つの施工ブロック層ｒをもって一つの施工単位Ｒとして施工を進めている。
【００１５】
詳しくは、Ｎ階層から下方の各階層をそれぞれ（Ｎ−１）、（Ｎ−２）、（Ｎ−３）の記号で表し、Ｎ階層を第１施工ブロック層ｒ1とし、（Ｎ−１）階層を第２施工ブロック層ｒ2、（Ｎ−２）階層を第３施工ブロック層ｒ3、（Ｎ−３）階層を第４施工ブロック層ｒ4とし、各ブロック層毎に、異なった施工を実施する。
具体的には、第１施工ブロック層ｒ1においては、該当階のプレキャスト柱２Ａと、上階のプレキャスト梁２Ｂとを設置すると共に、上階に、合成床Ｓの下面部分を構成するスラブ底板部材２Ｃをそれぞれ設置する第１施工工程が実施される。
第２施工ブロック層ｒ2においては、該当階の壁鉄筋５とスラブ鉄筋３とを設置する第２施工工程が実施される。
第３施工ブロック層ｒ3においては、該当階の壁型枠６を設置する第３施工工程が実施される。
第４施工ブロック層ｒ4においては、該当階の壁型枠６内と、上階の前記スラブ底板部材２Ｃ上とにコンクリート４を打設する第４施工工程が実施される。
以上の第１〜４施工工程が完了すると、図２に示すように、各施工工程を一階層ずつ上方にシフトして、次の施工を開始し、順次、これらの繰り返しによって、最上階までの施工を行うことができる。
【００１６】
本実施形態の建物形成方法によれば、上下に隣接する４つの施工ブロック層ｒ1〜ｒ4に別れて、前記第１〜４施工工程を並行して実施できるから、各施工ブロック層ｒ1〜ｒ4においては、単独の工種によって施工を進めることができ、各作業が錯綜するのを防止できる。また、各施工工程を、並行して一度に実施できるから、従来のように、同一の施工ブロック層で、第１〜４の各施工工程を順次実施していたのに比べると工期の短縮化を図ることができる。
また、４つの施工ブロック層ｒ1〜ｒ4からなる一つの施工単位Ｒを、各施工ブロック層ｒ1〜ｒ4での施工が完了した時点で１ブロック層ずつ上に移行させることで、各施工ブロック層ｒ1〜ｒ4で実施されている第１〜第４施工工程は、実質的には連続して実施できる。
即ち、図２に示すように、施工単位Ｒ内での各施工工程が完了すると、施工単位Ｒを一階層上方にシフトさせ、それを繰りかえすことによって、各施工工程は休むことなく、順次、上方の階層にシフトしながらそれぞれの階層で実施することができる。従って、従来のように、各施工工程が小間切れになるのを防止でき、各作業の流れを良好に維持できて、建物全体とした作業効率の向上を図れる。
【００１７】
〔第２実施形態〕
第２実施形態は、先に説明した第１実施形態における壁Ｗの無い建物を形成するものであり、壁鉄筋や壁型枠や壁コンクリート打設が無い。
従って、図３に示すような工程表で施工が進められる。
具体的には、上下に隣接する３つの施工ブロック層ｒ1〜ｒ3を一つの施工単位Ｒとして設定される。
３つの内の最上位の第１施工ブロック層ｒ1においては、該当階のプレキャスト柱２Ａと、上階のプレキャスト梁２Ｂとを設置すると共に、上階に、合成床Ｓの下面部分を構成するスラブ底板部材２Ｃをそれぞれ設置する第１施工工程を実施し、３つの内の上から２番目の第２施工ブロック層ｒ2においては、該当階のスラブ鉄筋３を設置する第２施工工程を実施し、３つの内の最下位の第３施工ブロック層ｒ3においては、該当階の前記スラブ底板部材２Ｃ上にコンクリート４を打設する第３施工工程を実施する。
【００１８】
〔別実施形態〕
以下に他の実施の形態を説明する。
【００１９】
〈１〉  前記施工ブロック層は、先の実施形態で説明した一階層のみに対応したものに、限るものではなく、例えば、二階層以上の複数階層をもって一つの施工ブロック層を構成するものであってもよい。
また、各施工ブロック層が、同一数の階層で構成されるものに限らず、例えば、第一施工ブロック層ｒ1は、二階層で、他の施工ブロック層は、一階層で構成されている場合や、他の階層数の形態も可能である。
【００２０】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２１】
１      躯体架構
２      プレキャスト材
２Ａ    プレキャスト柱
２Ｂ    プレキャスト梁
２Ｃ    スラブ底板部材
３      スラブ鉄筋
４      コンクリート
５      壁鉄筋
６      壁型枠
ｒ1    第１施工ブロック層
ｒ2    第２施工ブロック層
ｒ3    第３施工ブロック層
ｒ4    第４施工ブロック層
Ｒ      施工単位
Ｓ      合成床
【図１】
2011069069.tif 000003
【図２】
2011069069.tif 000004
【図３】
2011069069.tif 000005